(57)【要約】【課題】密閉式冷却塔の運転停止時における凍結防止回路の作動中でも、凍結防止回路運転のためのエネルギコストが低く、また、冷却水と散布水とが接触することによって冷却水が汚染されることのない密閉式冷却塔の凍結防止装置を提供すること。【解決手段】冷却水ポンプ４によって熱交換器２と負荷３との間を冷却水が循環する冷却水回路Ｃ１と、散布水ポンプ５によって熱交換器２を冷却する散布水が循環する散布水回路Ｃ２とからなり、密閉式冷却塔の運転停止時に冷却水を循環させて、熱交換器２の凍結を防止する密閉式冷却塔１における凍結防止装置１０において、冷却水回路Ｃ１内の冷却水ポンプ４を迂回する迂回路１１を形成し、この迂回路１１に凍結防止ポンプ１２を配設し、凍結防止ポンプ１２によって熱交換器２に冷却水を循環させる凍結防止回路Ｃ３を構成するようにする。【選択図】図２
2008224198.tif 000002
【特許請求の範囲】
【請求項１】
冷却水ポンプによって熱交換器と負荷との間を冷却水が循環する冷却水回路と、散布水ポンプによって熱交換器を冷却する散布水が循環する散布水回路とからなり、密閉式冷却塔の運転停止時に冷却水を循環させて、熱交換器の凍結を防止する密閉式冷却塔における凍結防止装置において、冷却水回路内の冷却水ポンプを迂回する迂回路を形成し、該迂回路に凍結防止ポンプを配設し、凍結防止ポンプによって熱交換器に冷却水を循環させる凍結防止回路を構成するようにしたことを特徴とする密閉式冷却塔の凍結防止装置。
【発明の詳細な説明】
【技術分野】
【０００１】
本発明は、密閉式冷却塔の凍結防止装置に関し、特に、密閉式冷却塔の運転停止時における熱交換器の凍結を防止する密閉式冷却塔の凍結防止装置に関するものである。
【背景技術】
【０００２】
通常、密閉式冷却塔２０は、図５〜図６に示すように、冷却水ポンプ４によって熱交換器２と負荷３との間を冷却水が循環する冷却水回路Ｃ４と、散布水ポンプ５によって熱交換器２を冷却する散布水が循環する散布水回路Ｃ５とを備えるようにしている。
そして、散布水回路Ｃ５は、密閉式冷却塔２０の筐体８内に配設した熱交換器２に対して、筐体８の上部に配設した散水槽６から散布水を散水するようにしている。
この散布水は、負荷３を冷却することによって高温となった冷却水が通過する熱交換器２を冷却し、筐体８の下部に配設した水槽７に溜まり、再び、散布水ポンプ５によって散水槽６に送られる。
また、散布水は、熱交換器２を伝って流下する際に、筐体８の上部に設けたファン１３によって筐体８の側面に形成したルーバ（図示省略）から吸引される空気（外気）によって冷却される。
【０００３】
ところで、この密閉式冷却塔２０は、外気温度の低い冬期に運転を停止すると、冷却水回路Ｃ４内の冷却水温度の低下により熱交換器２が凍結し、破損するという問題があり、この問題を解決するために、密閉式冷却塔２０の運転停止時には冷却水回路Ｃ４内の冷却水を抜き取るか、冷却水ポンプ４の運転を継続し、冷却水回路Ｃ４内の冷却水を絶えず循環させる方法が用いられてきた。
【０００４】
しかしながら、熱交換器２の内部に残存する冷却水の抜き取りには、エアコンプレッサによって空気を熱交換器２の内部に送り込むことによって排水する必要があり、多大な手数を要する。
一方、冷却水ポンプ４は、負荷３の容量（規模）によって異なるものの、通常、大型のポンプが使用されるため、密閉式冷却塔２０の運転停止時に冷却水ポンプ４の運転を継続することは、エネルギコストが嵩むという問題があった。
【０００５】
この問題点に対処するため、図５〜図６に示す密閉式冷却塔においては、凍結防止装置３０を備えるようにしている（例えば、特許文献１参照）。
【０００６】
この密閉式冷却塔の凍結防止装置３０は、散布水ポンプ５の入口側と出口側とに切換バルブＶ５〜Ｖ８を配設するようにしている。
【０００７】
そして、密閉式冷却塔２０の通常時の運転に際しては、冷却水ポンプ４及び散布水ポンプを共に運転し、切換バルブＶ５、Ｖ６を開放するとともに、切換バルブＶ７、Ｖ８を閉鎖し、図５に示すように、冷却水回路Ｃ４及び散布水回路Ｃ５を構成するようにしている。
【０００８】
一方、外気温度の低い冬期に運転を停止する際には、冷却水ポンプ４及び散布水ポンプを共に停止し、切換バルブＶ５、Ｖ６を閉鎖するとともに、切換バルブＶ７、Ｖ８を開放し、図６に示すように、凍結防止回路Ｃ６を構成するようにしている。
散布水ポンプ５は、一般的に冷却水ポンプ４より小型のポンプが使用されるから、密閉式冷却塔２０の運転停止時に運転する凍結防止回路Ｃ６のエネルギコストを多少低減することができるという利点がある。
【０００９】
しかしながら、この密閉式冷却塔の凍結防止装置３０は、凍結防止回路Ｃ６の作動中、散布水ポンプを使用するため、散布水回路Ｃ５を循環する散布水と冷却水回路Ｃ４を循環する冷却水とが混合し、冷却水が汚染されるという問題があった。
【特許文献１】特開平７−３５４８４号公報
【発明の開示】
【発明が解決しようとする課題】
【００１０】
本発明は、上記従来の密閉式冷却塔の凍結防止装置の有する問題点に鑑み、密閉式冷却塔の運転停止時における凍結防止回路の作動中でも、凍結防止回路運転のためのエネルギコストが低く、また、冷却水と散布水とが接触することによって冷却水が汚染されることのない密閉式冷却塔の凍結防止装置を提供することを目的とする。
【課題を解決するための手段】
【００１１】
上記目的を達成するため、本発明の密閉式冷却塔の凍結防止装置は、冷却水ポンプによって熱交換器と負荷との間を冷却水が循環する冷却水回路と、散布水ポンプによって熱交換器を冷却する散布水が循環する散布水回路とからなり、密閉式冷却塔の運転停止時に冷却水を循環させて、熱交換器の凍結を防止する密閉式冷却塔における凍結防止装置において、冷却水回路内の冷却水ポンプを迂回する迂回路を形成し、該迂回路に凍結防止ポンプを配設し、凍結防止ポンプによって熱交換器に冷却水を循環させる凍結防止回路を構成するようにしたことを特徴とする。
【発明の効果】
【００１２】
本発明の密閉式冷却塔の凍結防止装置によれば、冷却水回路内の冷却水ポンプを迂回する迂回路を形成し、該迂回路に凍結防止ポンプを配設し、凍結防止ポンプによって熱交換器に冷却水を循環させる凍結防止回路を構成するようにすることにより、密閉式冷却塔の運転停止時における凍結防止回路の作動中でも、冷却水と散布水とが接触することなく、冷却水が汚染されることがない。
また、凍結防止回路に配設する凍結防止ポンプは、冷却水が凍結防止回路を循環することができる容量があればよいため、小型のポンプを利用することができ、このため、エネルギコストを大幅に低減することができる。
【発明を実施するための最良の形態】
【００１３】
以下、本発明の密閉式冷却塔の凍結防止装置の実施の形態を、図面に基づいて説明する。
なお、従来装置と同様の構造については同一の符号、一連の符号を付し説明を省略する。
【実施例１】
【００１４】
図１〜図２に、本発明の密閉式冷却塔１の凍結防止装置１０の一実施例を示す。
【００１５】
この密閉式冷却塔１の凍結防止装置１０は、切換バルブＶ１〜Ｖ４を介して、冷却水回路Ｃ１内の冷却水ポンプ４、さらに本実施例においては、負荷３も併せて迂回する迂回路１１を形成し、この迂回路１１に凍結防止ポンプ１２を配設し、凍結防止ポンプ１２によって熱交換器２に冷却水を循環させる凍結防止回路Ｃ３を構成するようにしている。
【００１６】
そして、熱交換器２と負荷３との間に、切換バルブＶ１及び切換バルブＶ２を配設するとともに、切換バルブＶ３と切換バルブＶ４との間に、熱交換器２を配設するようにしている。
【００１７】
また、切換バルブＶ３と切換バルブＶ４との間には、凍結防止ポンプ１２を配設する。
この凍結防止ポンプ１２は、冷却水が凍結防止回路Ｃ３を循環することができる容量があればよいため、小型のポンプを利用することができる。
【００１８】
そして、密閉式冷却塔１の通常時の運転に際しては、切換バルブＶ１、Ｖ２を開放するとともに、切換バルブＶ３、Ｖ４を閉鎖し、冷却水回路Ｃ１及び散布水回路Ｃ２を構成し、冷却水ポンプ４及び散布水ポンプ５を運転することによって、熱交換器２を散布水で冷却しながら、冷却水回路Ｃ１において、熱源となる負荷３を冷却する。
【００１９】
一方、外気温度の低い冬期に密閉式冷却塔１の運転停止する場合には、切換バルブＶ３、Ｖ４を開放するとともに、切換バルブをＶ１、Ｖ２閉鎖し、凍結防止回路Ｃ３のみを構成する。
【００２０】
これによって、小型の凍結防止ポンプ１２を運転するだけで、熱交換器２に対して、冷却水を循環させることができ、外気温度の低い冬期に密閉式冷却塔１の運転を停止しても熱交換器２が凍結し、破損することはない。
また、冷却水は、散布水回路Ｃ２内の散布水と一切接触することがないから、散布水との接触による汚染が生じることはない。
【００２１】
ところで、上記実施例においては、切換バルブＶ１〜Ｖ４を配設するようにしているが、例えば、冷却水ポンプ４及び凍結防止ポンプ１２の運転を停止することによって水の流れが遮断される形式のポンプを使用する場合には、冷却水ポンプ４及び凍結防止ポンプ１２の作動及び停止が切換バルブＶ１〜Ｖ４の機能を果たすことになるため、図３に示すように、切換バルブＶ１〜Ｖ４を省略することができる。
なお、この実施例のその他の構成及び作用は、上記実施例と同様である。
【００２２】
また、上記各実施例においては、迂回路１１によって、冷却水回路Ｃ１内の冷却水ポンプ４と併せて、負荷３も迂回するようにしたが、例えば、図４に示すように、冷却水回路Ｃ１内の冷却水ポンプ４のみを迂回するように迂回路１１を形成するとともに、切換バルブＶ１、Ｖ２を配設することもできる。
また、冷却水ポンプ４及び凍結防止ポンプ１２の運転を停止することによって水の流れが遮断される形式のポンプを使用する場合には、冷却水ポンプ４及び凍結防止ポンプ１２の作動及び停止が切換バルブＶ１〜Ｖ４の機能を果たすことになるため、図３に示した実施例と同様に、切換バルブＶ１〜Ｖ４を省略することができる。
なお、この実施例のその他の構成及び作用は、上記実施例と同様である。
【００２３】
以上、本発明の密閉式冷却塔の凍結防止装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の密閉式冷却塔の凍結防止装置は、密閉式冷却塔の運転停止時における凍結防止回路の作動中でも、凍結防止回路運転のためのエネルギコストが低く、また、冷却水と散布水とが接触することによって冷却水が汚染されることがないという特性を有していることから、外気温度の低い冬期に運転を停止することの多い密閉式冷却塔に好適に用いることができる。
また、適用対象も、新規の密閉式冷却塔のほか、既設の密閉式冷却塔に対しても、凍結防止回路を付設することによって適用を可能にすることができる。
【図面の簡単な説明】
【００２５】
【図１】本発明の密閉式冷却塔の凍結防止装置の一実施例を示し、その通常運転時の概略説明図である。
【図２】同密閉式冷却塔の凍結防止装置の凍結防止運転時の概略説明図である。
【図３】本発明の密閉式冷却塔の別の実施例を示す概略説明図である。
【図４】本発明の密閉式冷却塔の別の実施例を示す概略説明図である。
【図５】従来の密閉式冷却塔の凍結防止装置を示し、その通常運転時の概略説明図である。
【図６】同密閉式冷却塔の凍結防止装置の凍結防止運転時の概略説明図である。
【符号の説明】
【００２６】
１    密閉式冷却塔
２    熱交換器
３    負荷
４    冷却水ポンプ
５    散布水ポンプ
１０  凍結防止装置
１１  迂回路
１２  凍結防止ポンプ
１３  ファン
Ｃ１  冷却水回路
Ｃ２  散布水塊路
Ｃ３  凍結防止回路
Ｖ１  切換バルブ
Ｖ２  切換バルブ
Ｖ３  切換バルブ
Ｖ４  切換バルブ
【図１】
2008224198.tif 000003
【図２】
2008224198.tif 000004
【図３】
2008224198.tif 000005
【図４】
2008224198.tif 000006
【図５】
2008224198.tif 000007
【図６】
2008224198.tif 000008